(57)【特許請求の範囲】
【請求項１】
回転軸(11)上に固定支持されるプーリ固定半体(48)と、
上記回転軸(11)上において上記プーリ固定半体(48)と向き合い回転軸(11)に対する回転が阻止された状態で軸方向に移動可能に支持され上記プーリ固定半体(48)と共同してベルト(55)を挟持するプーリ可動半体(49)とを備えたＶベルト式無段変速機において、
軸方向固定側ネジ部(76)を備え、回転軸(11)に対して軸方向相対移動不能に装着されたボールベアリング(63)に一体的に保持されて軸方向移動が阻止された状態で回転軸(11)に対し相対回転可能に保持され、電動モータ(91)から減速歯車機構(92)を介して回転駆動される軸方向固定側ネジ組立体(79)と、
上記軸方向固定側ネジ部(76)に嵌合する軸方向可動側ネジ部(80)を備え、変速機ケース(38)に対して回転が阻止された状態で回転軸方向に移動可能に保持される軸方向可動側ネジ組立体(83)とからなるネジ式送り機構(89)を備え、
上記ネジ式送り機構(89)の軸方向可動側ネジ組立体(83)が上記プーリ可動半体(49)に軸方向相対移動不可かつ相対回転可能に取付けられることを特徴とするＶベルト式無段変速機。
【請求項２】
軸方向可動側ネジ部(80)が、プーリ可動半体(49)の筒状軸部(49B)上で軸受部材(72)を介して相対回転可能かつ軸方向相対移動不能に支持されると共に、上記軸方向可動側ネジ部(80)と上記軸受部材(72)とがプーリ可動半体(49)の筒状軸部(49B)上で上記軸方向固定側ネジ部(76)の内側に設けられることを特徴とする請求項１に記載のＶベルト式無段変速機。
【請求項３】
ネジ式送り機構(89)における軸方向固定側ネジ組立体(79)の入力歯車(77)とプーリ可動半体(49)の傘状部(49A)との間の隙間に減速歯車の一つ(101)が配置されることを特徴とする請求項１に記載のＶベルト式無段変速機。
【発明の詳細な説明】
【技術分野】
【０００１】
本発明はＶベルト式無段変速機に関するものであり、特にそのプーリ可動半体の駆動機構に関するものである。
【背景技術】
【０００２】
Ｖベルト式無段変速機において、プーリ固定半体は回転軸に固定され、プーリ可動半体は回転軸に対して相対回転不可・軸方向移動可に取付けられている。従来のＶベルト式無段変速機のプーリ可動半体の駆動機構におけるネジ式送り機構は、回転軸にベアリングを介して保持された軸方向固定側ネジ部が、変速機ケースに回転不可・軸方向移動不可に取付けられ、上記軸方向固定側ネジ部の外周ネジに螺合する軸方向可動側ネジ部がプーリ可動半体にベアリングを介して相対回転可・軸方向移動不可に取付けられると共に、モータから減速歯車機構を介して回転駆動されるようになっていた。モータが始動されると、軸方向可動側ネジ部は回転しながら軸方向に移動し、プーリ可動半体を軸方向に動かすようになっていた（例えば、特許文献１参照。）。
【０００３】
上記構成では減速歯車機構の最終段歯車に、一体の歯車を介して噛み合う軸方向可動側ネジ部自体が、回転駆動されながら軸方向へ動くので、減速歯車機構の最終段歯車自体は、軸方向に長い歯車であることが必要である。このため変速機構は大型化していた。
【０００４】
【特許文献１】特許第３０９９０２３号公報（図５）。
【発明の開示】
【発明が解決しようとする課題】
【０００５】
本発明はプーリ可動半体の駆動機構を改良して小形化可能なＶベルト式無段変速機を提供しようとするものである。
【課題を解決するための手段】
【０００６】
本発明は上記課題を解決したものであって、請求項１に記載の発明は、回転軸上に固定支持されるプーリ固定半体と、上記回転軸上において上記プーリ固定半体と向き合い回転軸に対する回転が阻止された状態で軸方向に移動可能に支持され上記プーリ固定半体と共同してベルトを挟持するプーリ可動半体とを備えたＶベルト式無段変速機において、軸方向固定側ネジ部を備え、回転軸に対して軸方向相対移動不能に装着されたボールベアリングに一体的に保持されて軸方向移動が阻止された状態で回転軸に対し相対回転可能に保持され、電動モータから減速歯車機構を介して回転駆動される軸方向固定側ネジ組立体と、
上記軸方向固定側ネジ部に嵌合する軸方向可動側ネジ部を備え、変速機ケースに対して回転が阻止された状態で回転軸方向に移動可能に保持される軸方向可動側ネジ組立体とからなるネジ式送り機構を備え、上記ネジ式送り機構の軸方向可動側ネジ組立体が上記プーリ可動半体に軸方向相対移動不可かつ相対回転可能に取付けられることを特徴とするＶベルト式無段変速機である。
【０００７】
請求項２に記載の発明は、請求項１に記載のＶベルト式無段変速機において、軸方向可動側ネジ部が、プーリ可動半体の筒状軸部上で軸受部材を介して相対回転可能かつ軸方向相対移動不能に支持されると共に、上記軸方向可動側ネジ部と上記軸受部材とがプーリ可動半体の筒状軸部上で上記軸方向固定側ネジ部の内側に設けられることを特徴とする。
【０００８】
請求項３に記載の発明は、請求項１に記載のＶベルト式無段変速機において、ネジ式送り機構における軸方向固定側ネジ組立体の入力歯車とプーリ可動半体の傘状部との間の隙間に減速歯車の一つが配置されることを特徴とするものである。
【発明の効果】
【０００９】
請求項１の発明において、減速歯車機構の最終段歯車に噛み合って駆動されるネジ式送り機構の入力歯車は、軸方向固定側ネジ組立体の歯車であり、これは軸方向に動かないので、上記減速歯車機構の最終段歯車の幅を狭くすることができて、変速機を小型化することができる。
【００１０】
請求項２の発明によって、軸方向固定側ネジ部の幅の内側を利用して軸方向可動側ネジ部および軸受部材を配置するので、デッドスペースを有効利用して変速機を小型化することができる。
【００１１】
請求項３の発明によって、軸方向固定側ネジ組立体の入力歯車とプーリ可動半体の傘状部との間のデッドスペースを有効利用して減速歯車の一つを配置するので変速機を小型化することができる。
【発明を実施するための最良の形態】
【００１２】
図１は本発明に係るパワーユニット１の側面図である。このパワーユニットは自動二輪車に搭載されるもので、車両に固定された頭上弁式４ストロークサイクル２気筒の水冷式内燃機関２と、これに対してクランク軸11を中心として上下揺動可能に支持される変速機３と後輪支持部４と後輪とを一体化した部分から構成されている。矢印Ｆは内燃機関２の前方を指している。
【００１３】
このパワーユニット１の内燃機関２は、クランクケース６と、シリンダブロック７と、シリンダヘッド８と、シリンダヘッドカバー９とに囲まれた部分よりなり、クランクケース６の前端に、前方やや上向きに指向したシリンダブロック７が結合され、同シリンダブロック７の前端にシリンダヘッド８が結合され、同シリンダヘッド８の前端にシリンダヘッドカバー９が結合されている。また後輪支持部４には後輪軸60が組み込まれており、内燃機関の動力を後輪に伝達する。
【００１４】
図２は、図１のＡ−Ａ断面、Ｂ−Ｂ断面、およびＣ−Ｃ断面を一平面上に描いた断面展開図である。クランクケース６は左クランクケース６Ｌ、右クランクケース６Ｒとからなっている。左右のクランクケース６Ｌ、６Ｒのジャーナル軸受部10Ｌ、10Ｒに、クランク軸11が回転可能に支持されている。一方、シリンダブロック７に形成されたシリンダ穴12にピストン13が摺動可能に嵌装されている。クランク軸11およびピストン13に、それぞれクランクピン14およびピストンピン15を介して、コンロッド16の両端が枢支されている。ピストン13の端面に向き合うシリンダヘッド８の底面には燃焼室20が形成され、点火プラグ21がシリンダヘッドカバー９の頂部から装着され、その先端が上記燃焼室20に臨んでいる。
【００１５】
シリンダヘッド８には上記燃焼室20に連なる吸気ポートおよび排気ポートが形成され、吸気弁と排気弁が、シリンダヘッド８に摺動可能に嵌挿されている。図２には右側燃焼室の排気弁27が図示してある。
【００１６】
図２において、シリンダヘッド８とシリンダヘッドカバー９の間にクランク軸11と平行にカム軸28が支承され、カム軸28に設けられたカムによって、吸気弁、排気弁が開閉駆動される。図２には排気用カム29が示されている。カム軸28は、クランク軸11の右部に設けられた駆動スプロケット30とカム軸28の右端に設けられた従動スプロケット31との間に巻き掛けられた無端状チェーン32によって回転駆動される。
【００１７】
右クランクケース６Ｒの外側に右クランクケースカバー33が設けてあり、その内面に固定されたステータ34と、クランク軸11に固定され上記ステータ34を囲むロータ35とから、発電機36が構成されている。発電機36に隣接して設けてある従動歯車37は図示していないスタータモータからの回転駆動を受けるための歯車である。
【００１８】
パワーユニット１における変速機３を収納する変速機ケース38は、右変速機ケース38Ｒ、左変速機ケース38Ｌおよび仕切り壁38Ｓから構成されている。右変速機ケース38Ｒはクランクケース６の左右で回動可能に支持されている。クランクケースの左側では、左クランクケース６Ｌに、ボルト22によって取り付けられた支持金物39に保持されたボールベアリング40によって回動可能に支持され、クランクケースの右側では、右クランクケースカバー33に取り付けられた支持金物41に保持されたローラベアリング42によって支持された接続金物43Ａ、43Ｂによって回動可能に支持されている。接続金物43Ａ、43Ｂはボルトで一体化されている。左変速機ケース38Ｌの外側に変速機ケースカバー23が設けてある。
【００１９】
左変速機ケース38Ｌと仕切り壁38Ｓは、いずれも右変速機ケース38Ｒにボルトによって結合されている。変速機３の変速機ケース38の後端部は後輪支持部４となっている。変速機３は、Ｖベルト式無段変速機45と歯車減速機46とからなっている。Ｖベルト式無段変速機45は、前半部が、左変速機ケース38Ｌと右変速機ケース38Ｒとの間、後半部が、左変速機ケース38Ｌと仕切り壁38Ｓとの間に設けられ、歯車減速機46は、仕切り壁38Ｓと右変速機ケース38Ｒとの間に設けられている。
【００２０】
Ｖベルト式無段変速機45の駆動軸は、クランク軸11そのものであり、同クランク軸11の左端部にＶベルト式無段変速機45の駆動プーリ47が設けてある。駆動プーリ47は固定半体48と可動半体49とを備えて構成されている。Ｖベルト式無段変速機45の従動軸50は、左変速機ケース38Ｌと仕切り壁38Ｓと右変速機ケース38Ｒとに回転自在に支持されている。この従動軸50に遠心クラッチ51を介してＶベルト式無段変速機45の従動プーリ52が設けてある。従動プーリ52は固定半体53と可動半体54とを備えて構成されている。駆動プーリ47と従動プーリ52とに無端状Ｖベルト55が架渡され、駆動プーリ47の回転が従動プーリ52に伝達される。従動プーリ52の回転数が所定回転数を越えると、従動プーリ52と従動軸50との間に設けられている遠心クラッチ51が接続状態となり、従動軸50が回転を始める。
【００２１】
歯車減速機46は３本の回転軸に設けられた歯車群によって構成されている。第１の軸は、右変速機ケース38Ｒと仕切り壁38Ｓとに支持されているＶベルト式無段変速機45の従動軸50の右半部であり、小径歯車56が形成されている。第２の軸は、右変速機ケース38Ｒと仕切り壁38Ｓとに回転自在に支持されている中間軸57であり、上記従動軸50の小径歯車56に噛合う大径歯車58が一体に嵌着されるとともに、それに隣接して小径歯車59が形成されている。第３の軸は、仕切り壁38Ｓと右変速機ケース38Ｒと前記接続金物43Ａに結合されているアーム62とに回転自在に支持されている後輪軸60である。後輪軸60には上記中間軸57の小径歯車59に噛合う大径歯車61が嵌着されている。この構成によって、従動軸50のトルクは、上記減速歯車群を介して減速されて後輪軸60に伝達される。後輪軸60には、後輪５が一体的に固定されている。
【００２２】
図３は駆動プーリ47とその周辺部材のクランク軸11への組み付け状態を示す拡大断面図である。駆動プーリ47は、駆動プーリ固定半体48と駆動プーリ可動半体49とから構成されている。クランク軸11の左半部には、段差11ａと段差11ｂで区切られた第１の小径部11Ａと、段差11ｂとクランク軸端面部11ｃで区切られた第２の小径部11Ｂが形成されている。第１の小径部11Ａの端にはスプライン11ｄ、第２の小径部11Ｂの端にはスプライン11ｅが設けてある。
【００２３】
第１の小径部11Ａには、ボールベアリング63の内輪、第１の支持スリーブ64、およびガイドスリーブ65が嵌挿され、第２の小径部11Ｂには、第２の支持スリーブ66と駆動プーリ固定半体48が嵌装されている。スリーブ64、65、66はスチール製、駆動プーリ固定半体48はアルミ製である。上記各部材は、クランク軸11の端部のねじ孔に、ワッシャ67を介して螺入されたボルト68で締められ、クランク軸11方向に移動不能に固定される。上記部材のうち、ガイドスリーブ65はその内側のスプライン65ａを介して第１の小径部11Ａのスプライン11ｄに嵌装されている。駆動プーリ固定半体48はその中心孔の内側のスプライン48ａを介して第２の小径部11Ｂのスプライン11ｅに嵌装されている。したがって、これらの部材はクランク軸11に対して相対回転不能に固定される。駆動プーリ固定半体48はクランク軸11と共に回転する。
【００２４】
駆動プーリ可動半体49は、上記固定半体に対向する傘状部49Ａと、上記スリーブ64、65、66を囲み、上記傘状部49Ａと一体に形成された筒状部49Ｂとからなっている。傘状部49Ａはアルミ合金製、筒状部49Ｂはスチール製である。傘状部49Ａは、筒状部49Ｂのフランジ部にリベット44によって一体的に結合されている。駆動プーリ可動半体49の筒状部49Ｂの内側には、内方へ突出する突起状スプライン49Ｂａが形成され、上記ガイドスリーブ65の外周に形成された外側スプライン65ｂに嵌合している。上記ガイドスリーブ65の外側スプライン65ｂは軸方向に長いスプラインであるから、上記突起状スプライン49Ｂａは、そのガイド溝の中で軸方向に摺動可能である。したがって、駆動プーリ可動半体49は、クランク軸11に対しては相対回転不可であるが、軸方向には移動可能に保持される。スプライン11ｄ、65ａ、65ｂ、49Ｂａによって、駆動プーリ可動半体49はクランク軸11からトルクを受けてクランク軸11と共に回転する。ガイドスリーブ65の外側スプライン65ｂの溝にはグリースが塗布され、可動半体筒状部49Ｂの突起状スプライン49Ｂａの摺動を円滑化している。可動半体筒状部49Ｂの両端部には、上記グリースの漏出防止と埃の侵入防止のためのシール69が設けてある。
【００２５】
図４は図３のＩＶ−ＩＶ断面の軸部のみ（ボールベアリング等を除く）の拡大断面図である。互いに噛み合っているクランク軸11のスプライン11ｄとガイドスリーブ65の内側スプライン65ａはインボリュートスプラインであり、ガイドスリーブ65の外側スプライン65ｂとこれに噛み合う突起状スプライン49Ｂａもインボリュートスプラインである。突起状スプラインの移動に伴う空気やグリースの移動を可能にするために、ガイドスリーブの外周面と可動半体筒状軸部49Ｂの内周面との間には隙間70が設けてある。
【００２６】
図３において、円筒状のボールベアリング外輪保持部材75が、上記クランク軸11に装着されているボールベアリング63の外輪を軸方向相対移動不能に保持している。ボールベアリング外輪保持部材75の外周のフランジ部75ａに雌ネジ円筒部材76が溶接によって一体化されている。雌ネジ円筒部材76の外周のフランジ部76ａには、環状歯車77がボルト78によって結合されている。ボールベアリング外輪保持部材75と雌ネジ円筒部材76と環状歯車77とは一体化して雌ネジ組立体79を形成し、ボールベアリング63によってクランク軸11に支持され、軸方向移動不可の状態で、クランク軸11とは独立の回転を行うことが出来る。雌ネジ組立体79の環状歯車77は後述の変速アクチュエータ90の一部をなす第２中間歯車104の小径歯車102によって回転駆動される。
【００２７】
駆動プーリ可動半体49の筒状部49Ｂの外周にはボールベアリング72の内輪が軸方向相対移動不能に装着され、雄ネジ円筒部材80が、その内周で、上記ボールベアリング72の外輪を一体的に保持している。雄ネジ円筒部材80の外周のネジ部は、上記雌ネジ円筒部材の内周のネジ部に係合している。雄ネジ円筒部材80の端部のフランジ部80ａには回り止め部材81がボルト82によって結合されている。雄ネジ円筒部材80と回り止め部材81とボルト82は一体化して雄ネジ組立体83を形成している。回り止め部材81はその回り止め軸部81ａの両側部に突出形成されている突出部81ｂが、図６（側面図）に示す右変速機ケース38Ｒに設けられた回り止めガイドレール84に係合している。これによって、雌ネジ組立体79が回転したとき、雄ネジ組立体83は、クランク軸周りの回動が阻止された状態で、クランク軸軸線方向の移動のみが可能となっている。上記雌ネジ組立体79と雄ネジ組立体83とによって、ネジ式送り機構89が構成されている。
【００２８】
回り止め部材81のアーム部には前部ストッパ81ｃが一体成形されている。これは、雄ネジ組立体83の後方移動の限界を検知するためのものである。回り止め部材81の軸部81ａの後端には後部ストッパ85がボルト86によって取り付けてある。これは、雄ネジ組立体83の前方移動の限界を検知するためのものである。回り止め部材81と回り止めガイドレール84（図６）とによって回り止め機構88（図６）が構成されている。
【００２９】
回り止め部材81には、その軸部外方に延長部81ｄが形成されている。この延長部81ｄは可動半体の現在位置を検知するためのストロークセンサ87の端部から突出している棒状部材の先端部に当接している。ストローク検知はストロークセンサ87の端部からバネで押し出されている棒状部材の変位を検知することによって行われる。棒状部材の周囲部はゴム製のベロウズで覆われている。ストロークセンサ87の基部は、右変速機ケース38Ｒに接続されている。
【００３０】
図５は、変速機３の前半部の断面展開図である。図６は変速機の前半部を側面から見た歯車等の配置図である。雌ネジ組立体79は変速アクチュエータ90によって回転駆動される。変速アクチュエータ90は、電動モータ91と歯車減速機構92とによって構成されている。上記電動モータ91は車速とスロットル開度と内燃機関の回転数に応じて自動的に回転が制御されるものである。右変速機ケース38Ｒに減速歯車ケース93が取り付けられている。このケースは、右側ケース部材93Ｒと左側ケース部材93Ｌと端部ケース部材93Ｅとからなっている。これらのケース部材に挟まれた部分に減速歯車室94が形成されている。取付け板95を介して、電動モータ91が減速歯車ケース93の右側ケース部材93Ｒに取付けられ、同モータの回転軸に刻設されたピニオン96が減速歯車室94の中に突入している。
【００３１】
上記ピニオン96に噛み合う大径歯車97と、これに隣接する小径歯車98とが一体に構成された第１中間歯車99が減速歯車ケース93にボールベアリング100を介して回転可能に支持されている。
【００３２】
上記小径歯車98に噛み合う大径歯車101と、これに一体的に隣接する小径歯車102とが、回転軸103に嵌挿されて一体となっている第２中間歯車104が減速歯車ケース93にボールベアリング105を介して回転可能に支持されている。上記小径歯車102に、前述の雌ネジ組立体79の環状歯車77が噛み合っている。
【００３３】
電動モータ91が制御指令に応じて正方向に回転すると、第１、第２中間歯車99、104を経由して動力が伝達され、雌ネジ組立体79が回転し、雌ネジ円筒部材76のねじ部に噛み合っている回転不能の雄ネジ組立体83の雄ネジ円筒部材80のネジ部が、上記雌ネジ円筒部材76のねじ部からクランク軸方向の推力を受け、雄ネジ組立体83はクランク軸軸線方向へ移動する。上記雄ネジ円筒部材80のネジ部が受ける推力は、ボールベアリング72をを介して可動半体に伝わり、駆動プーリ可動半体49はクランク軸軸線方向へ移動し、駆動プーリ固定半体48との間隔を狭め、Ｖベルトを外周方向へ移動させる。電動モータ91が制御指令に応じて逆方向に回転すると、上記とは逆の過程によって、駆動プーリ固定半体48と駆動プーリ可動半体49との間隔が広がり、Ｖベルトは中心方向へ移動する。
【００３４】
図７は変速機３の後半部の断面展開図である。従動プーリ52は従動プーリ固定半体53と従動プーリ可動半体54とからなっている。従動プーリ固定半体53はアルミ製の傘状部53Ａとスチール製の筒状部53Ｂとからなる。従動プーリ可動半体54もアルミ製の傘状部54Ａとスチール製の筒状部54Ｂとからなる。固定半体53の傘状部は筒状部の端にボルト147によって締結され、可動半体54の傘状部は筒状部の端に鋳造によって一体形成されている。
【００３５】
従動軸50には段差部50ａ、50ｂ、50ｃが設けてある。段差部50ａの外周に設けられたボールベアリング110と段差部50ｂの外周に設けられたローラベアリング111とに、従動プーリ固定半体53の筒状部53Ｂが、従動軸50に対して回転可能に支持されている。
【００３６】
上記固定半体の筒状部53Ｂの外周に可動半体の筒状部54Ｂが摺動可能に嵌挿されている。固定半体の筒状部53Ｂの外周の４ヶ所にピン112が植設されている。可動半体の筒状部54Ｂには周方向４箇所に筒状部54Ｂの半径方向に貫通し、かつ軸線方向に対して傾斜して延びるカム溝113が設けてあり、このカム溝113に上記ピン112の頭部が嵌挿されている。これによって従動プーリ可動半体54は、ピン112に規制されて、従動プーリ固定半体53に対して、軸線方向の相対移動が可能であり、かつ上記カム溝の角度分の周方向相対移動が可能である。
【００３７】
従動プーリ可動半体54の筒状部54Ｂの外周に円筒部材114が、軸方向に移動出来ないように固定され、筒状部54Ｂのカム溝113を覆っている。従動プーリ可動半体54の、ピン112に規制された摺動を助けるために、カム溝113内にはグリースが塗布され、円筒部材114の両端部内側には油漏れ防止のためのシール材が設けてある。円筒部材114の右端外周にボールベアリング115の内輪が保持されている。ボールベアリング115の外輪には、これに当接する環状部材116が設けてある。
【００３８】
従動プーリ固定半体53の筒状部53Ｂの左端外周の段差部にボールベアリング117の内輪がナット118によって固定されている。ボールベアリング117の外輪に雄ネジ円筒部材120が軸方向移動不可に固定されている。雄ネジ円筒部材120は、従動プーリ53に対して、ボールベアリング117によって回転が遮断されている。雄ネジ円筒部材120には、回り止め部材121が固定されており、その端部は変速機ケース38に固定されている（図示なし）。したがって、雄ネジ円筒部材120は、軸線方向、回転方向共に、従動軸50および従動プーリ52とは独立して、変速機ケース38に対して静止状態を保つことができる。
【００３９】
雄ネジ円筒部材120の雄ネジ部を、雌ネジ円筒部材122が螺合状態で覆っている。雌ネジ円筒部材122のフランジ部122ａに環状歯車123がボルト124によって固定されている。雌ネジ円筒部材122と環状歯車123とボルト124によって、雌ネジ組立体125が形成されている。
【００４０】
環状歯車123が、後述の第２中間歯車144の小径歯車142に駆動されて回転し、固定している雄ネジ円筒部材120の雄ネジ部から雌ネジ円筒部材122の雌ネジ部が推力を受け、雌ネジ円筒部材122は回転しながら軸方向に駆動される。雌ネジ円筒部材122の端とボールベアリング115の外周に固定してある環状部材116との間に皿ばね126が介装してある。これによって、雌ネジ円筒部材122の軸方向移動によって、皿ばね126、環状部材116、ボールベアリング115、および円筒部材114を経由して従動プーリ可動半体54が軸方向に駆動される。上記雄ネジ円筒部材120と雌ネジ組立体125とによってネジ式送り機構127が構成される。
【００４１】
上記雌ネジ組立体125は、変速アクチュエータ130によって回転駆動される。変速アクチュエータ130は、電動モータ131と歯車減速機構132とによって構成されている。上記電動モータ131は車速とスロットル開度と内燃機関の回転数に応じて自動的に回転が制御されるものである。前記皿ばね126のストレインを計測して、従動プーリ可動半体のＶベルトに対する押圧力を検知し、制御のためにフィードバックされる。
【００４２】
左変速機ケース38Ｌに減速歯車ケース133が取り付けられ、減速歯車室134が形成されている。取付け板135を介して、電動モータ131が減速歯車ケース133に取付けられ、同モータの回転軸に刻設されたピニオン136が減速歯車室134の中に突入している。上記ピニオン136に噛み合う大径歯車137と、これに隣接する小径歯車138とが一体に構成された第１中間歯車139が、左変速機ケース38Ｌと減速歯車ケース133にボールベアリング140を介して回転可能に支持されている。
【００４３】
上記小径歯車138に噛み合う大径歯車141と、これに一体的に隣接する小径歯車142とが、回転軸143に嵌挿されて一体となっている第２中間歯車144が、左変速機ケース38Ｌと減速歯車ケース133にボールベアリング145を介して回転可能に支持されている。上記小径歯車142は軸方向寸法の長い歯車で、この軸方向の任意の位置で、上記雌ネジ組立体125の環状歯車123との噛合いが可能となっている。
【００４４】
図８は変速機の後半部を側面から見た歯車等の配置図である。図７の状態において、電動モータ131が制御指令に応じて正方向に回転すると、第１、第２中間歯車139、144を経由して動力が伝達され、雄ネジ円筒部材120のねじ部に噛み合っている雌ネジ組立体125が回転し、雌ネジ組立体125自体が従動軸50の軸線方向へ移動し、皿ばね126と環状部材116とボールベアリング115と円筒部材114とを介して従動プーリ可動半体54を押し、駆動プーリ固定半体53との間隔を狭め、Ｖベルトを外周方向へ移動させる。電動モータ131が制御指令に応じて逆方向に回転すると、上記とは逆の過程によって、従動プーリ固定半体53と従動プーリ可動半体54との間隔が広がり、Ｖベルトは中心方向へ移動する。なお、雌ネジ組立体の左側ストッパ121ａは、前記回り止め部材121の他端に設けてあり、雌ネジ組立体の左方移動の限界を検知する。
【００４５】
従動プーリ固定半体の右端面に遠心クラッチ51の内側回転部材51Ａがボルト147で固定されている。遠心クラッチ51の外側回転部材51Ｂは、上記内側回転部材51Ａに対向する位置で従動軸50にスプライン148を介して相対回転不能に嵌挿されている。外側回転部材51Ｂの外周部は上記内側回転部材51Ａを覆っている。従動プーリが所定回転数に達すると、その回転が、内側回転部材51Ａ、外側回転部材51Ｂを経て伝達され、従動軸50が回転を始める。従動軸50の回転は、図２に関連して述べたように、歯車減速機46の歯車を経由して減速され、後輪軸60に伝達され、後輪５が駆動される。
【００４６】
特許請求の範囲に記載されている事項は、上記実施形態においては駆動プーリ可動半体49の軸方向駆動機構に関する部分に相当し、これは図３〜図６に関連して述べてある。特許請求の範囲に記載の「ネジ式送り機構」は図３に示されているネジ式送り機構89、「軸方向固定側ネジ部」は雌ネジ円筒部材76、「軸方向固定側ネジ組立体」は雌ネジ組立体79、「軸方向可動側ネジ部」は雄ネジ円筒部材80、「軸方向可動側ネジ組立体」は雄ネジ組立体83、を指している。
【００４７】
上記実施形態のＶベルト式無段変速機では次の効果がもたらされる。
（１）減速歯車機構の最終段歯車（第２中間歯車の小径歯車102）に噛み合って駆動されるネジ式送り機構の入力歯車（環状歯車77）は、軸方向固定側ネジ組立体（雌ネジ組立体79）の歯車であり、軸方向に動かないので、上記減速歯車機構の最終段歯車（第２中間歯車の小径歯車102）の幅を狭くすることができ、変速機構を小型化することができる。
（２）軸方向固定側ネジ部（雌ネジ円筒部材76）の幅の内側を利用して軸方向可動側ネジ部（雄ネジ円筒部材80）および軸受部材（ボールベアリング72）を配置するので、デッドスペースを有効利用して変速機を小型化することができる。
（３）軸方向固定側ネジ組立体（雌ネジ組立体79）の入力歯車（環状歯車77）とプーリ可動半体の傘状部（駆動プーリ可動半体の傘状部49Ａ）との間のデッドスペースを有効利用して減速歯車の一つ（第２中間歯車の大径歯車101）を配置するので変速機を小型化することができる。
【図面の簡単な説明】
【００４８】
【図１】本発明に係るパワーユニット１の側面図である。
【図２】図１のＡ−Ａ断面、Ｂ−Ｂ断面、およびＣ−Ｃ断面を一平面上に描いた断面展開図である。
【図３】駆動プーリ47とその周辺部材のクランク軸11への組み付け状態を示す拡大断面図である。
【図４】図３のＩＶ−ＩＶ断面の軸部のみの拡大断面図である。
【図５】変速機３の前半部の断面展開図である。
【図６】変速機の前半部を側面から見た歯車等の配置図である。
【図７】変速機３の後半部の断面展開図である。
【図８】変速機の後半部を側面から見た歯車等の配置図である。
【符号の説明】
【００４９】
11…クランク軸、38…変速機ケース、45…Ｖベルト式無段変速機、47…駆動プーリ、48…駆動プーリ固定半体、49…駆動プーリ可動半体、49Ａ…傘状部、49Ｂ…筒状部、72…ボールベアリング、76…雌ネジ円筒部材、77…環状歯車、79…雌ネジ組立体、80…雄ネジ円筒部材、81…回り止め部材、83…雄ネジ組立体、88…回り止め機構、89…ネジ式送り機構
、91…電動モータ、101…大径歯車、102…小径歯車、104…第２中間歯車。
【図１】
0004698339.tif 000002
【図２】
0004698339.tif 000003
【図３】
0004698339.tif 000004
【図４】
0004698339.tif 000005
【図５】
0004698339.tif 000006
【図６】
0004698339.tif 000007
【図７】
0004698339.tif 000008
【図８】
0004698339.tif 000009